(57)【要約】【課題】  大きさの異なる缶商品に景品を付けて販売したり、複数の缶商品をセットにして販売する際に景品を付けたりすることができるようにする。【解決手段】  景品Ｋを収容した景品収容部１の下端に、大きさが小さい缶の上端部に掛止される第一掛止部が延設され、第一掛止部の下側に、第一の缶の上端部よりも大きい第二の缶の上端部に掛止される第二掛止部が延設されている。第一第二の掛止部３１，３２は、それぞれ円弧部３１１，３２１と直線部３１２，３２２を有し、円弧部３１１，３２１の内面には突起３３が形成されている。各突起３３は、缶Ｃ１の先端部の突条Ｐ１の下側に入り込んで引っ掛けられ、これによって景品用キャップが缶Ｃ１に取り付けられる。【選択図】  図２
0003127939.tif 000002
【実用新案登録請求の範囲】
【請求項１】
缶入りの商品に景品を付けて販売するに際して使用される景品用キャップであって、
景品を内部に収容する筒状の景品収容部と、
景品収容部の上端を塞いだ上端閉鎖部と、
景品用キャップを缶に取り付けるために景品収容部の下端に設けられた缶取付部と
を備えており、
缶取付部は、景品収容部の下端に連続して形成された部位であって、
大きさが小さい第一の缶の上端部に掛止される第一の掛止部と、第一の缶の上端部よりも大きい第二の缶の上端部に掛止される第二の掛止部とを有しており、
第一の掛止部は、第一の景品収容部の下端に延設され、第二の掛止部は、第一の掛止部の下側に延設されており、
第一の掛止部は、第一の缶の上端部の寸法形状に適合した寸法形状を有して第一の缶の上端部に嵌め込まれて掛止されるようになっており、
第二の掛止部は、第二の缶の上端部の寸法形状に適合した寸法形状を有して第二の缶の上端部に嵌め込まれて掛止されるようになっていることを特徴とする景品用キャップ。
【請求項２】
前記第一の缶は上端部の縁に沿って周状に延びる突条を有しており、前記第一の掛止部は、内面に突起を備えており、
この第一の掛止部の突起は弾性を有しており、第一の掛止部が第一の缶の上端部に掛止される際に外側に押し広げられた後、第一の缶の突条の下側に入り込んで引っ掛けられるようになっており、
前記第二の缶は上端部の縁に沿って周状に延びる突条を有しており、前記第二の掛止部は、内面に突起を備えており、
この第二の掛止部の突起は弾性を有しており、第二の掛止部が第二の缶の上端部に掛止される際に外側に押し広げられた後、第二の缶の突条の下側に入り込んで引っ掛けられるようになっていることを特徴とする請求項１記載の景品用キャップ。
【請求項３】
前記第一の掛止部は、前記第一の缶を水平方向に複数並べた際のそれらの缶の上端部の輪郭の包絡線に相当する水平断面形状を有していて、水平方向に並べられた複数の前記第一の缶の上端部を被って取り付けられることが可能となっており、
前記第二の掛止部は、前記第二の缶を水平方向に複数並べた際のそれらの缶の上端部の輪郭の包絡線に相当する水平断面形状を有していて、水平方向に並べられた複数の前記第二の缶の上端部を被って取り付けられることが可能となっていることを特徴とする請求項１又は２記載の景品用キャップ。
【請求項４】
前記突条は円周状に延びたものであり、前記第一の掛止部は、当該円周の径に適合した径の円弧部を有しており、円弧部は、１８０度より長いものであって、前記突起は、円弧部の１８０度の長さ内に形成されている他、１８０度よりも長い部分においても形成されていることを特徴とする請求項２又は３記載の景品用キャップ。
【考案の詳細な説明】
【技術分野】
【０００１】
本願の考案は、缶入りの商品（以下、缶商品）に景品を付けて販売するに際して使用される景品用キャップに関する。
【背景技術】
【０００２】
商品に景品（おまけ）を付けて販売することは、従来から頻繁に行われている。
【考案の開示】
【考案が解決しようとする課題】
【０００３】
清涼飲料やビール等の飲料の分野では、景品を袋に入れ、ボトルのネックの部分に輪ゴム等で引っ掛けて提供することがあるが、缶コーヒー、缶ビール等の缶商品の場合、適当な手段が無かった。特に、大きさの異なる缶に対しても景品を付けるようにしたり、複数の缶商品をセットにして販売する際にセットに対して景品を付ける手段については、適当なものが無かった。
本願の考案は、この点を考慮したものであり、大きさの異なる缶商品に景品を付けて販売したり、複数の缶商品をセットにして販売する際に景品を付けたりする際に好適に使用される手段を提供することを課題としている。
【課題を解決するための手段】
【０００４】
上記課題を解決するため、本願の請求項１記載の考案は、缶入りの商品に景品を付けて販売するに際して使用される景品用キャップであって、
景品を内部に収容する筒状の景品収容部と、
景品収容部の上端を塞いだ上端閉鎖部と、
景品用キャップを缶に取り付けるために景品収容部の下端に設けられた缶取付部と
を備えており、
缶取付部は、景品収容部の下端に連続して形成された部位であって、
大きさが小さい第一の缶の上端部に掛止される第一の掛止部と、第一の缶の上端部よりも大きい第二の缶の上端部に掛止される第二の掛止部とを有しており、
第一の掛止部は、第一の景品収容部の下端に延設され、第二の掛止部は、第一の掛止部の下側に延設されており、
第一の掛止部は、第一の缶の上端部の寸法形状に適合した寸法形状を有して第一の缶の上端部に嵌め込まれて掛止されるようになっており、
第二の掛止部は、第二の缶の上端部の寸法形状に適合した寸法形状を有して第二の缶の上端部に嵌め込まれて掛止されるようになっているという構成を有する。
また、上記課題を解決するため、請求項２記載の考案は、上記請求項１の構成において、前記第一の缶は上端部の縁に沿って周状に延びる突条を有しており、前記第一の掛止部は、内面に突起を備えており、
この第一の掛止部の突起は弾性を有しており、第一の掛止部が第一の缶の上端部に掛止される際に外側に押し広げられた後、第一の缶の突条の下側に入り込んで引っ掛けられるようになっており、
前記第二の缶は上端部の縁に沿って周状に延びる突条を有しており、前記第二の掛止部は、内面に突起を備えており、
この第二の掛止部の突起は弾性を有しており、第二の掛止部が第二の缶の上端部に掛止される際に外側に押し広げられた後、第二の缶の突条の下側に入り込んで引っ掛けられるようになっているという構成を有する。
また、上記課題を解決するため、請求項３記載の考案は、上記請求項１又は２の構成において、前記第一の掛止部は、前記第一の缶を水平方向に複数並べた際のそれらの缶の上端部の輪郭の包絡線に相当する水平断面形状を有していて、水平方向に並べられた複数の前記第一の缶の上端部を被って取り付けられることが可能となっており、
前記第二の掛止部は、前記第二の缶を水平方向に複数並べた際のそれらの缶の上端部の輪郭の包絡線に相当する水平断面形状を有していて、水平方向に並べられた複数の前記第二の缶の上端部を被って取り付けられることが可能となっているという構成を有する。
また、上記課題を解決するため、請求項４記載の考案は、上記請求項２又は３の構成において、前記突条は円周状に延びたものであり、前記第一の掛止部は、当該円周の径に適合した径の円弧部を有しており、円弧部は、１８０度より長いものであって、前記突起は、円弧部の１８０度の長さ内に形成されている他、１８０度よりも長い部分においても形成されているという構成を有する。
【考案の効果】
【０００５】
上述したように、本願の請求項１記載の考案によれば、大きさ又は形状の異なる缶商品に対して取り付けることができるので、一つの景品用キャップにより大きさ又は形状の異なる缶商品への景品提供用に用いることができる。このため、コストの面で有利である。つまり、大きさ又は形状の異なる缶商品毎にそれぞれ景品用キャップを製造する場合に比べコストが安く済む。
また、請求項２記載の考案によれば、上記効果に加え、缶商品の上端部の突条の下側に突が入り込んで掛止されるので、掛止強度が増すという効果が得られる。
また、請求項３記載の考案によれば、上記効果に加え、複数の缶商品に対して一つの景品用キャップが取り付けられるので、複数の缶商品をセットにして販売する場合に好適に使用される。
また、請求項４記載の考案によれば、上記効果に加え、取り付け強度がさらに向上するので、景品用キャップの部分を持って持ち上げても下側の缶商品が落ちないようにすることができるので好適である。
【考案を実施するための最良の形態】
【０００６】
以下、本願の考案の実施形態について図面を参照しながら説明する。図１は、本願の考案の実施形態に係る景品用キャップの斜視概略図である。図２は、図１に示す景品用キャップの正面断面概略図である。図３は、図１及び図２に示す景品用キャップの景品収容部１の構造を示した平面断面概略図、図４は、景品収容部１への景品Ｋの収容について示した斜視概略図である。
図１〜図４に示す景品用キャップは、一例として、缶飲料に景品Ｋを付けて販売する際に使用されるものとなっている。景品用キャップは、景品Ｋを内部に収容する筒状の景品収容部１と、景品収容部１の上端を塞いだ上端閉鎖部２と、景品用キャップを缶に取り付けるために景品収容部１の下端に設けられた缶取付部３とを備えている。
【０００７】
まず、景品収容部１の構造について説明する。景品収容部１は、外ケース部１１と、外ケース部１１の内側に設けた内ケース部１２とを備えている。外ケース部１１は、図１及び図３に示すように、長方形の左右両側に半円を設けた形状に相当する水平断面形状のものとなっている。内ケース部１２は、断面長方形の箱状であり、外ケース部１１に内接する寸法となっている。内ケース部１２は、外ケース部１１に固定されている。内ケース部１２の内面には、補強用のリブ１３が複数形成されている。リブ１３は、図２及び図４に示すように上下方向に長い突部である。
上端閉鎖部２は、景品収容部１の上端を完全に塞いだものとなっている。上端閉鎖部２は、景品収容部１と一体に成型されている。従って、景品Ｋは、図４に示すように下側から入れて収容するようになっている。
本実施形態の景品用キャップは、内ケース部１２の下端開口を塞ぐ蓋板４を備えている。蓋板４について、図２及び図４を使用して説明する。図４に示すように、蓋板４は、全体としては長方形の板状である。蓋板４の寸法は、内ケース部１２の寸法に適合するものとなっており、蓋板４は、内ケース部１２の下端開口に嵌め込まれて下端開口を塞ぐようになっている。
蓋板４の周縁には、外側に突出したフランジ部４１が形成されている。一方、内ケース部１２には、蓋板４を掛止するための蓋用突起１４が形成されている。蓋用突起１４は、断面長方形の内ケース部１２を構成する四つの側板のうち、短辺に位置する側板の下縁付近に設けられている。
【０００８】
蓋板４で景品収容部１を塞ぐ際には、蓋板４を内ケース部１２の下端開口に嵌め込む。この際、図２に示すように、フランジ部４１が蓋用突起１４の上側に入り込んで掛止されるようになっている。尚、図４に示すように、蓋板４は、二つの開口４２を有している。この開口４２は、蓋板４の嵌め込みをし易くするためのもので、指を差し込んで蓋板４を持ち、内ケースの下端開口に嵌め込むようにする。
また、内ケース部１２のリブ１３は、蓋板４のストッパの役目も果たしている。蓋板４の寸法は、内ケース部１２の下端開口の寸法に一致しているが、誤差により若干小さくなっている場合もあり得る。この場合、図４に示すように、蓋板４を嵌めた際、景品収容部１内に落とし込まれてしまう。こうなると、蓋板４が景品収容部１内で固定されずにカラカラ鳴ってしまうことになる。本実施形態では、リブ１３がストッパの役目を果たすので、このようなことはない。即ち、図２に示すように、蓋板４は、蓋用突起１４とリブ１３の端部との間で保持される。
【０００９】
次に、本実施形態の景品用キャップの大きな特徴点を成す缶取付部３について説明する。
缶取付部３は、景品収容部１の下端に連続して形成された部位である。缶取付部３の形状について説明する。
本実施形態の景品用キャップは、大きさの異なる缶飲料に対して取り付けられることが可能になっている。即ち、缶取付部３は、大きさが小さい第一の缶Ｃ１の上端部に掛止される第一掛止部３１と、第一の缶Ｃ１の上端部よりも大きい第二の缶Ｃ２の上端部に掛止される第二掛止部３２とを有している。以下、大きさが小さい方の第一の缶Ｃ１をＳ缶と呼び、大きい方の第二の缶Ｃ２をＬ缶と呼ぶ。
【００１０】
本実施形態では、Ｓ缶Ｃ１又はＬ缶Ｃ２を二つセットにして販売することが想定されている。従って、景品用キャップは、並べられた二つのＳ缶Ｃ１又はＬ缶Ｃ２に対して取り付けられるものとなっている。
図２から解るように、第一掛止部３１は、第一の景品収容部１の下端に延設された部位である。第二掛止部３２は、第一掛止部３１の下側に延設された部位である。第一掛止部３１は、Ｓ缶Ｃ１の上端部の寸法形状に適合した寸法形状を有する。第二掛止部３２は、Ｌ缶Ｃ２の上端部の寸法形状に適合した寸法形状を有する。
【００１１】
本実施形態では、Ｓ缶Ｃ１もＬ缶Ｃ２も、円筒状の缶であり、従って上端部は円形の輪郭を有する。図２から解るように、第一掛止部３１は、帯状の部材を円弧状に丸めたような形状の部分（以下、第一円弧部）３１１と、直線状にした部分（以下、第一直線部）と３１２を有している。第一円弧部３１１は二つあって左右に設けられている。第一直線部３１２は、左右の第一円弧部３１１をつなぐようにして設けられている。
各第一円弧部３１１の円弧の径は、Ｓ缶Ｃ１の上端部の外径よりも僅かに大きなものとなっている。そして、各第一円弧部３１１の内面には、突起３３が複数設けられている。一方、缶飲料等の缶Ｃ１，Ｃ２は、上端部の縁に外側に向けて膨らんだ突条Ｐ１，Ｐ２を有しており、本実施形態におけるＳ缶Ｃ１やＬ缶Ｃ２も同様である。図２に示すように、各突起３３はこの突条Ｐ１，Ｐ２の下側に入り込んで引っ掛けられるようになっている。
【００１２】
本実施形態の景品用キャップは、ポリプロピレン、ポリエチレン、ＰＥＴ等のプラスチック製であり、ある程度の弾性を有する。尚、景品用キャップは、射出成型等の方法により製造される。各突起３３は、Ｓ缶Ｃ１に対して景品用キャップが取り付けられる際、Ｓ缶Ｃ１の突条Ｐ１によって外側に押し出された後に突条Ｐ１の下側に入り込んで掛止される。
突起３３のうちの一つは、より弾性に富む状態で形成されている。以下、この突起３３を高弾性突起３３ｈと呼ぶ。高弾性突起３３ｈは、各第一円弧部３１１において、互いに遠い側の位置に設けられている。即ち、左側の第一円弧部３１１においては高弾性突起３３ｈは左側に設けられ、右側の第一円弧部３１１においては高弾性突起３３ｈは右側に設けられている。各第一円弧部３１１は、各高弾性突起３３ｈの両側には切り欠き３０を有している。この切り欠き３０のため、各高弾性突起３３ｈは、外側に向けて撓み易くなっている。
【００１３】
第二掛止部３２も、寸法は若干大きくなるものの、上記第一掛止部３１とほぼ同様の構造となっている。即ち、第二掛止部３２も、帯状の部材を円弧状に丸めたような形状の部分（以下、第二円弧部）３２１と、直線状にした部分（以下、第二直線部）３２２とを有している。第二円弧部３２１は二つあって左右に設けられ、第二直線部３２２は左右の第二円弧部３２１をつなぐようにして設けられている。
各第二円弧部３２１の円弧の径は、Ｌ缶Ｃ２の上端部の外径よりも僅かに大きなものとなっている。そして、各第二円弧部３２１の内面には、突起３３が複数設けられ、Ｌ缶Ｃ２の上端部の突条に引っ掛けられれるようになっている。
【００１４】
各第二円弧部３２１においても、複数の突起３３のうちの一つは高弾性突起３３ｈとなっている。高弾性突起３３ｈの位置は、各第一円弧部３１１におけるものと同様である。そして、各第一円弧部３１１に設けられた切り欠き３０は、各第二円弧部３２１にも延びており、そのまま下端まで達している。両側の切り欠き３０に挟まれるようにして、各第二円弧部３２１の高弾性突起３３ｈが位置している。
第一第二円弧部３１１，３２１と、内ケース部１２とをつなぐようにして補強部４が設けられている。補強部４は、図４に示すように、断面が富士山の形になるよう形成された部位であり、頂上部分が内ケース部１２の長辺方向の中央部分に接続されている。尚、補強部４は、外ケース部１１と内ケース部１２をつなぐものともなっており、内ケース部１２と外ケース部１１との間の空間を補強して、内ケース部１２を外側からの衝撃から守っている。
【００１５】
上記構成に係る景品用キャップの使用方法について、以下に説明する。Ｓ缶Ｃ１を二つセットにして販売する場合を例する。まず、図４に示すように、蓋板４を開けた状態で上下を逆さまにし、景品Ｋを景品収容部１に入れる。そして、蓋板４を内ケース部１２に嵌め込み、蓋をする。
次に、二つのＳ缶Ｃ１に対して景品用キャップを取り付ける。即ち、一つめのＳ缶Ｃ１の上端部を第一掛止部３１の一方の第一円弧部３１１に嵌め込んだ後、二つめのＳ缶Ｃ１の上端部を他方の第一円弧部３１１に嵌め込む。二つのＳ缶Ｃ１を並べ、景品用キャップを被せて二つのＳ缶Ｃ１の上端部を同時に各第一円弧部３１１に嵌め込んでも良い。
このようにして景品Ｋを収容した景品用キャップを缶商品に取り付けた後、缶商品を売り場に並べ販売する。Ｓ缶Ｃ１ではなく、Ｌ缶Ｃ２を二つセットにして販売する場合、各Ｌ缶Ｃ２の上端部を第二掛止部３２の各第二円弧部３２１に嵌め込んで景品用キャップを取り付ける。
【００１６】
本実施形態の景品用キャップによれば、大きさの異なる缶商品Ｃ１，Ｃ２に対して取り付けることができるので、一つの景品用キャップにより大きさの異なる缶商品Ｃ１，Ｃ２への景品提供用に用いることができる。このため、コストの面で有利である。つまり、大きさの異なる缶商品Ｃ１，Ｃ２毎にそれぞれ景品用キャップを製造する場合に比べコストが安く済む。また、缶商品Ｃ１，Ｃ２の上端部の突条Ｐ１，Ｐ２の下側に突起３３が入り込んで掛止されるので、単に円弧部３１１，３１２に缶商品Ｃ１，Ｃ２の上端部が嵌め込まれる構成に比べ、掛止強度が増している。
【００１７】
次に、上記のように複数の缶商品に対して取り付けられる景品用キャップの強度面での好適な構造について、図３を使用して補足して説明する。
上述したように、本実施形態の景品用キャップは、突起３３の部分が缶商品の上端部の突条の下側に入り込むことで掛止される。景品用キャップが取り付けられた缶商品は、缶商品の部分を持って持ち運ぶこともあるが、景品用キャップの部分を持って持ち運ぶこともあり得る。従って、景品用キャップの部分を持って持ち上げても下側の缶商品が落ちないような取り付け強度が確保されることが好ましい。
【００１８】
図３に示すように、掛止部３１，３２が有する円弧部３１１，３２１は、半円（１８０度）より少し長い円弧となっている。そして、突起３３は、１８０度の長さ内に形成されている他、１８０度の長い位置（１８０度の位置よりも途切れた部分に近い側）にも形成されている。本実施形態では、１８０度の長さ内に複数均等間隔をおいて複数形成され、１８０度よりも長い部分において二つ（途切れ部分の両側）形成されている。１８０度よりも長い部分に形成された二つの突起３３が成す角（図３中にθで示す）は、この実施形態では２００度程度である。
【００１９】
このようにすると、円周状である缶商品の上端部のうち、１８０度よりも大きな領域で掛止されることになり、掛止強度が向上する。円弧部３１１，３２１の延びる長さが１８０度以下であって掛止される突起３３が１８０度以下の長さにおいて設けられているのみであると、掛止される領域が１８０度以下に限定されてしまうので、掛止強度が不十分になる恐れがある。しかしながら、上記のようにすると、掛止強度が向上し、好適である。
円弧部３１１，３１２が延びる長さ、特に角θの大きさは、掛止強度にとって重要であり、角θは１９０〜２４０度程度にすると好適である。尚、途切れ部分を無くし、円弧部３１１，３２１が３６０度に亘って延びており、突起３３が３６０度の円弧部において均等間隔毎に設けられるようにするとさらに好適である。
【００２０】
上記実施形態の景品用キャップは、形状が同じで大きさの異なる二つの缶に対して取り付け可能となる構成であったが、大きさも形状も異なる二つの缶に対して取り付け可能となる構成であっても実施可能である。即ち、第一第二の各掛止部３１，３２がそれぞれの缶Ｃ１，Ｃ２に対して掛止されることが可能になるような形状にしておけば良い。
【００２１】
また、上記使用例では二つのＳ缶Ｃ１に対して取り付けられるか二つのＬ缶Ｃ２に対して取り付けられるかであったが、Ｓ缶Ｃ１一つとＬ缶Ｃ２一つとをセットにして販売する場合もあり、このＳ缶Ｃ１一つとＬ缶Ｃ２一つに対して取り付けるようにしても良い。図５は、このような大きさの異なる二つの缶商品Ｃ１，Ｃ２に対して取り付けた状態を正面断面概略図である。
【００２２】
また、上記実施形態では大きさの異なる二つの缶商品に対して取り付けられることが可能に構成されたが、大きさの異なる三つ以上の缶商品に対して取り付けられるようにしても良い。このような構成の一例が図６に示されている。図６は、大きさの異なる三つの缶商品に対して取り付けられる景品用キャップの一実施形態の斜視概略図である。
【００２３】
図６に示す実施形態では、第一第二掛止部３１，３２に加え、第三掛止部３４がさらに設けられている。第三掛止部３４は、第二掛止部３２の下側に延設された部位である。第三掛止部３４は、第二掛止部３２よりも一回り上端部が大きい缶商品に取り付けられる形状になっている。第三掛止部３４は、同様に円弧部（第三円弧部）３４１を有する。第三円弧部３４１の形状は、大きさが大きいのみで、第一第二円弧部３２１と基本的に同様である。
図６に示す実施形態によれば、大きさの異なる三つの缶商品のいずれに対しても景品用キャップを取り付けることができる。従って、さらに汎用性が増しており、コスト面で有利となっている。
【００２４】
上記各実施形態では、一つの景品用キャップを取り付ける缶商品は二つであったが、一つのみの缶商品に対して取り付けられるものであっても良い。この場合でも、汎用性の向上の効果は同様に得られる。また、三つ又はそれ以上の缶商品に対して取り付けられるものであってもよい。この実施形態について、図７を使用して補足的に説明する。図７は、三つ以上の缶商品に対して一つの景品用キャップが取り付けられる実施形態の概略図である。
【００２５】
図７（１）に示すように、直線上に三つ並んだ缶商品Ｃに対して一つの景品用キャップを取り付けてもよく、図７（２）に示すように、三角形の頂点を成す位置に並んだ三つ並んだ缶商品Ｃに対して一つの景品用キャップを取り付けても良い。さらに、図７（３）に示すように並べられた六つの缶商品Ｃに対して取り付けても良く、図７（４）に示すように九つの缶商品Ｃに対して取り付けても良い。
【００２６】
尚、前述した実施形態における掛止部の形状は、二つの缶（Ｓ缶Ｃ１又はＬ缶Ｃ２）を水平方向に複数並べた際のそれらの缶の上端部の輪郭の包絡線に相当する水平断面形状に相当している。図７に示す各実施形態においても同様であり、複数の缶商品を水平方向に並べた際、それらの缶の上端部の輪郭の包絡線（図７中Ｌで示す）に相当する水平断面形状を有するよう、各掛止部が構成される。
尚、缶商品の上端部の形状としては、上述したような円形のものには限られない。角形状その他のものであっても実施は可能である。そのような形状に適合するように掛止部の形状を選定し、上端部が嵌め込まれるようにすれば良い。
また、缶商品としては、前述した缶飲料の他、缶詰のような缶食品、テニスボールを入れた缶のような飲料・食品以外の商品を入れた缶商品についても、本願考案の景品用キャップは実施可能である。
【図面の簡単な説明】
【００２７】
【図１】本願の考案の実施形態に係る景品用キャップの斜視概略図である。
【図２】図１に示す景品用キャップの正面断面概略図である。
【図３】図１及び図２に示す景品用キャップの景品収容部１の構造を示した平面断面概略図である。
【図４】景品収容部１への景品Ｋの収容について示した斜視概略図である。
【図５】大きさの異なる二つの缶商品に対して取り付けた状態を正面断面概略図である。
【図６】大きさの異なる三つの缶商品に対して取り付けられる景品用キャップの一実施形態の斜視概略図である。
【図７】三つ以上の缶商品に対して一つの景品用キャップが取り付けられる実施形態の概略図である。
【符号の説明】
【００２８】
三つ以上の缶商品に対して一つの景品用キャップが取り付けられる実施形態の概略図である。
１  景品収容部
２  上端閉鎖部
３  缶取付部
３１  第一掛止部
３１１  第一円弧部
３２  第二掛止部
３２１  第二円弧部
３３  突起
３４  第三掛止部
Ｃ１  Ｓ缶
Ｃ２  Ｌ缶
【図１】
0003127939.tif 000003
【図２】
0003127939.tif 000004
【図３】
0003127939.tif 000005
【図４】
0003127939.tif 000006
【図５】
0003127939.tif 000007
【図６】
0003127939.tif 000008
【図７】
0003127939.tif 000009
【手続補正書】
【提出日】平成18年10月17日(2006.10.17)
【手続補正１】
【補正対象書類名】実用新案登録請求の範囲
【補正対象項目名】全文
【補正方法】変更
【補正の内容】
【実用新案登録請求の範囲】
【請求項１】
缶入りの商品に景品を付けて販売するに際して使用される景品用キャップであって、
景品を内部に収容する筒状の景品収容部と、
景品収容部の上端を塞いだ上端閉鎖部と、
景品用キャップを缶に取り付けるために景品収容部の下端に設けられた缶取付部と
を備えており、
缶取付部は、景品収容部の下端に連続して形成された部位であって、
大きさが小さい第一の缶の上端部に掛止される第一の掛止部と、第一の缶の上端部よりも大きい第二の缶の上端部に掛止される第二の掛止部とを有しており、
第一の掛止部は、第一の景品収容部の下端に延設され、第二の掛止部は、第一の掛止部の下側に延設されており、
第一の掛止部は、第一の缶の上端部の寸法形状に適合した寸法形状を有して第一の缶の上端部に嵌め込まれて掛止されるようになっており、
第二の掛止部は、第二の缶の上端部の寸法形状に適合した寸法形状を有して第二の缶の上端部に嵌め込まれて掛止されるようになっていることを特徴とする景品用キャップ。
【請求項２】
前記第一の缶は上端部の縁に沿って周状に延びる突条を有しており、前記第一の掛止部は、内面に突起を備えており、
この第一の掛止部の突起は弾性を有しており、第一の掛止部が第一の缶の上端部に掛止される際に外側に押し広げられた後、第一の缶の突条の下側に入り込んで引っ掛けられるようになっており、
前記第二の缶は上端部の縁に沿って周状に延びる突条を有しており、前記第二の掛止部は、内面に突起を備えており、
この第二の掛止部の突起は弾性を有しており、第二の掛止部が第二の缶の上端部に掛止される際に外側に押し広げられた後、第二の缶の突条の下側に入り込んで引っ掛けられるようになっていることを特徴とする請求項１記載の景品用キャップ。
【請求項３】
前記突条は円周状に延びたものであり、前記第一の掛止部は、当該円周の径に適合した径の円弧部を有しており、円弧部は、１８０度より長いものであって、前記突起は、円弧部の１８０度の長さ内に形成されている他、１８０度よりも長い部分においても形成されていることを特徴とする請求項２記載の景品用キャップ。
【請求項４】
前記第一の掛止部は、前記第一の缶を水平方向に複数並べた際のそれらの缶の上端部の輪郭の包絡線に相当する水平断面形状を有していて、水平方向に並べられた複数の前記第一の缶の上端部を被って取り付けられることが可能となっており、
前記第二の掛止部は、前記第二の缶を水平方向に複数並べた際のそれらの缶の上端部の輪郭の包絡線に相当する水平断面形状を有していて、水平方向に並べられた複数の前記第二の缶の上端部を被って取り付けられることが可能となっていることを特徴とする請求項１、２又は３記載の景品用キャップ。